(57)【要約】【課題】引き出し作業を含めた使い勝手を向上させる。【解決手段】記録装置は、ロール状の媒体を支持する媒体支持部と、媒体支持部よりも上方に位置し媒体支持部から送られた媒体に記録を行う記録部と、記録部へ媒体を送り出し可能な収容位置に配置された媒体支持部よりも前方に配置され、記録が行われて排出された媒体の姿勢を規制するガイド部材とを備え、媒体支持部は、ガイド部材に当接する当接部を有し、収容位置から引出位置への移動に伴い当接部を介してガイド部材を押すことによりガイド部材を規制位置から退避位置へ移動させ、当接部は、媒体支持部が引出位置へ移動する間、ガイド部材に当接する曲面部と、媒体支持部が引出位置へ達したときガイド部材の端部と当接する媒体支持部の移動方向を長手方向とした平面部とを有する。【選択図】図３
2015189103.tif 000002
【特許請求の範囲】
【請求項１】
ロール状の媒体を支持する媒体支持部と、
前記媒体支持部よりも上方に位置し、前記媒体支持部から送られた前記媒体に記録を行う記録部と、
前記記録部へ前記媒体を送り出し可能な収容位置に配置された前記媒体支持部よりも前方に配置され、前記記録部による記録が行われて排出された前記媒体の姿勢を規制するガイド部材と、を備え、
前記媒体支持部は、前記収容位置と、前記収容位置よりも前方の引出位置との間を移動可能であり、
前記ガイド部材は、前記媒体の姿勢を規制するための規制位置と、前記規制位置から退避した位置である退避位置との間を移動可能であり、
前記媒体支持部は、前記ガイド部材に当接する当接部を有し、前記収容位置から前記引出位置への移動に伴って当該当接部を介して前記ガイド部材を押すことにより前記ガイド部材を前記規制位置から前記退避位置へ移動させ、
前記当接部は、前記媒体支持部が前記収容位置から前記引出位置へ移動する間、前記ガイド部材に当接する曲面部と、前記媒体支持部が前記引出位置へ達したときに前記ガイド部材の端部と当接する前記媒体支持部の移動方向を長手方向とした平面部とを有する、ことを特徴とする記録装置。
【請求項２】
前記媒体支持部の移動方向と直交する幅方向における前記当接部の幅は、当該幅方向における前記ガイド部材の幅よりも小さいことを特徴とする請求項１に記載の記録装置。
【請求項３】
前記ガイド部材は、前記当接部と相対する面に、前記媒体支持部の移動方向と直交する幅方向における幅が、当該幅方向における前記当接部の幅よりも小さいリブを有することを特徴とする請求項１または請求項２に記載の記録装置。
【請求項４】
前記当接部は、前記長手方向の一端を前記曲面部とし、前記長手方向の両端が対称形状であることを特徴とする請求項１〜請求項３のいずれかに記載の記録装置。
【発明の詳細な説明】
【技術分野】
【０００１】
本発明は、記録装置に関する。
【背景技術】
【０００２】
記録装置の前方から、記録部の上方に配置された第１装填部に対するロール紙の装填、および、記録部の下方に配置された第２装填部に対するロール紙の装填が可能な記録装置が知られている（特許文献１参照）。この記録装置では、第２装填部に対してロール紙の装填作業を行う際は、第２装填部を前方へ引き出す。
【先行技術文献】
【特許文献】
【０００３】
【特許文献１】特開２０１３‐２４０８９１号公報
【発明の概要】
【発明が解決しようとする課題】
【０００４】
上述の記録装置では、ロール紙を装填するユーザーの作業性を向上させることが求められていた。具体的には、ロール紙を装填するために手前に引き出す部位（前記文献１においては第２装填部）を手前により多く引き出すことができれば、ロール紙の装填作業が容易となる。
【０００５】
本発明は少なくとも上述の課題を解決するためになされたものであり、ロール状の媒体を支持する部位の引き出し作業を含めた使い勝手をより向上させる記録装置を提供する。
【課題を解決するための手段】
【０００６】
本発明の態様の一つは、ロール状の媒体を支持する媒体支持部と、前記媒体支持部よりも上方に位置し、前記媒体支持部から送られた前記媒体に記録を行う記録部と、前記記録部へ前記媒体を送り出し可能な収容位置に配置された前記媒体支持部よりも前方に配置され、前記記録部による記録が行われて排出された前記媒体の姿勢を規制するガイド部材と、を備え、前記媒体支持部は、前記収容位置と、前記収容位置よりも前方の引出位置との間を移動可能であり、前記ガイド部材は、前記媒体の姿勢を規制するための規制位置と、前記規制位置から退避した位置である退避位置との間を移動可能であり、前記媒体支持部は、前記ガイド部材に当接する当接部を有し、前記収容位置から前記引出位置への移動に伴って当該当接部を介して前記ガイド部材を押すことにより前記ガイド部材を前記規制位置から前記退避位置へ移動させ、前記当接部は、前記媒体支持部が前記収容位置から前記引出位置へ移動する間、前記ガイド部材に当接する曲面部と、前記媒体支持部が前記引出位置へ達したときに前記ガイド部材の端部と当接する前記媒体支持部の移動方向を長手方向とした平面部とを有する。
【０００７】
本発明によれば、当接部は、媒体支持部が収容位置から引出位置へ移動する間、曲面部によってガイド部材に当接するため、媒体支持部をスムーズに引出位置へ引き出すことができる。また、当接部の平面部がガイド部材の端部と当接した状態が、媒体支持部が引出位置に在る状態であるため、引出位置において媒体支持部が安定するとともに、記録装置の前方への媒体支持部の引き出し量が十分確保され、媒体支持部に対してロール状の媒体を装填する作業が容易になる。
【０００８】
本発明の態様の一つは、前記媒体支持部の移動方向と直交する幅方向における前記当接部の幅は、当該幅方向における前記ガイド部材の幅よりも小さいとしてもよい。
当該構成によれば、当接部の前記幅は、ガイド部材の前記幅よりも小さいため、当接部によって美観が損なわれることが回避され、また、当接部の製造コストも抑えることができる。
【０００９】
本発明の態様の一つは、前記ガイド部材は、前記当接部と相対する面に、前記媒体支持部の移動方向と直交する幅方向における幅が、当該幅方向における前記当接部の幅よりも小さいリブを有するとしてもよい。
当該構成によれば、ガイド部材は、前記リブによって当接部と接する。そのため、ガイド部材と当接部との接触面積が小さくなり、媒体支持部の移動（媒体支持部を引き出す作業）が容易になる。
【００１０】
本発明の態様の一つとして、前記当接部は、前記長手方向の一端を前記曲面部とし、前記長手方向の両端が対称形状であるとしてもよい。
当該構成によれば、当接部を媒体支持部へ取り付けるに際し、当接部の長手方向の両端のいずれを前方に向けてもよいため、当該取り付け作業が容易であり、ひいては記録装置の製造効率の向上に寄与する。
【図面の簡単な説明】
【００１１】
【図１】記録装置の外観を例示する斜視図。
【図２】給紙ユニットを収容した状態の記録装置を例示する縦断面図。
【図３】給紙ユニットを引き出した状態の記録装置を例示する縦断面図。
【図４】給紙ユニットを引き出した状態の当接部とガイド部材とが接する様子を例示する図。
【発明を実施するための形態】
【００１２】
以下、本発明の一実施形態を説明する。
図１は、記録装置１の例としての大型のプリンターの外観を示す斜視図である。ここで言う大型とは、比較的大きなサイズの媒体（例えば、Ａ０やＡ１等のサイズの用紙）に印刷可能であることを指す。図２および図３は、図１に示したスタッカー１９を省略して記録装置１の縦断面を簡易的に示した図であり、図２は給紙ユニット５０（媒体支持部の一例）が所定の収容位置Ｌ１にある状態を示し、図３は給紙ユニット５０が所定の引出位置Ｌ２にある状態を示している。図１においても、給紙ユニット５０は収容位置Ｌ１にある。収容位置Ｌ１は、給紙ユニット５０が媒体経路（３０，７０）およびその下流側の記録部１２へロール紙Ｒ２を送り出し可能な位置である。
【００１３】
図中、符号Ｄ１は、記録装置１の前後方向を示し、符号Ｄ２の向きが前、符号Ｄ３の向きが後である。前後方向Ｄ１は、給紙ユニット５０の移動方向でもある。給紙ユニット５０を「引き出す」と言った場合は、給紙ユニット５０を前方へ移動させること、つまり収容位置Ｌ１から引出位置Ｌ２へ移動させることを意味する。符号Ｄ４が示す矢印は、記録装置１の上方を指している。符号Ｄ７は、前後方向Ｄ１及び上方向Ｄ４に直交する記録装置１の幅方向を示している。図２および図３は、記録装置１を幅方向Ｄ７の視点により見た図である。なお、分かり易く示すため、各図は整合していないことがある。
【００１４】
記録装置１は、幅方向Ｄ７の両側において設置面に立つ一対の脚部８０によって、設置面から一定高さの位置に筺体１０が支持されている。記録装置１は、筐体１０と、筐体１０と連続的に形成された装置上部後側の給紙ユニット２０と、筺体１０に対して移動可能に設けられた給紙ユニット５０とを備え、給紙ユニット２０が支持するロール紙Ｒ１と、給紙ユニット５０が支持するロール紙Ｒ２（ロール状の媒体の一例）とを切り替えて印刷する（記録を行う）ことが可能である。ロール紙は、用紙をロール状に巻いた連続紙である。給紙ユニット２０は、ロール紙Ｒ１を支持しつつ繰り出すための繰り出し機構２１を有し、給紙ユニット５０は、ロール紙Ｒ２を支持しつつ繰り出すための繰り出し機構５１を有する。以下では、ロール紙Ｒ１またはロール紙Ｒ２から繰り出された部分を単に「シート」と呼ぶ場合がある。
【００１５】
図から明らかなように、給紙ユニット５０は、筺体１０の下方に位置する。給紙ユニット５０は、例えば、前記一対の脚部８０それぞれの内側に前後方向Ｄ１を向いて水平に設けられた支持部材８２と、図示しないレールや滑車等を介して係合することにより、前後方向Ｄ１に摺動可能に支持されている。
【００１６】
図２および図３に示すように、筐体１０は内部に、制御部１１、記録部１２、搬送ローラー対（１５，１６）、排出部１７、カッター１８、ロール紙Ｒ１用の媒体経路４０、ロール紙Ｒ２用の媒体経路３０、等を備えている。制御部１１は、ＣＰＵ（Central Processing Unit）、ＲＯＭ（Read Only Memory）、ＲＡＭ（Random Access Memory）等を有し、外部のホスト装置から記録出力の指令を受け取って、媒体（被記録媒体）としてのロール紙Ｒ１とロール紙Ｒ２のいずれか一方に印刷する等、記録装置１の各部の動作を制御する。
【００１７】
記録部１２は、例えば、インクジェット方式により記録を行う機構であり、記録ヘッド１３とプラテン１４を有している。記録ヘッド１３は、プラテン１４と対向する上側に配置され、不図示のノズルからインクをシートに対して吐出して記録可能である。プラテン１４は、シートを支持し、シートと記録ヘッド１３との間を所定の距離に保つ。搬送ローラー対（１５，１６）は、記録部１２よりもシートの搬送方向の上流側に設けられ、駆動ローラー１５と、従動ローラー１６とを備える。従動ローラー１６は、駆動ローラー１５から離間可能であり、近接時に駆動ローラー１５とでシートを挟持する。
【００１８】
ロール紙Ｒ１用の媒体経路４０には、給紙ローラー対（２２，２３）、従動ローラー２４，２５、等が配設されている。給紙ローラー対（２２，２３）は、駆動ローラー２２と、従動ローラー２３とを備える。従動ローラー２３は、駆動ローラー２２から離間可能であり、近接時に駆動ローラー２２とでシートを挟持する。繰り出し機構２１に装填した新たなロール紙Ｒ１の給紙時、ユーザーは、まず、給紙ローラー対（２２，２３）の間にロール紙Ｒ１の先端部を入れる。その後、制御部１１による制御下で、繰り出し機構２１がロール紙Ｒ１を繰り出し、繰り出されたシートを給紙ローラー対（２２，２３）が挟持しながら搬送ローラー対（１５，１６）の方へ搬送し、搬送ローラー対（１５，１６）がシートを挟持する。
【００１９】
一方、ロール紙Ｒ２用の媒体経路３０には、従動ローラー３３，３４、等が配設されている。また、給紙ユニット５０内には、給紙ユニット５０が収容位置Ｌ１に在る場合に、筺体１０側の媒体経路３０と連通する媒体経路７０が設けられている。媒体経路７０には、給紙ローラー対（５２，５３）、従動ローラー５４、等が配設されている。給紙ユニット５０は、制御部１１と電気的に接続されている。給紙ローラー対（５２，５３）は、駆動ローラー５２と、従動ローラー５３とを備える。従動ローラー５３は、駆動ローラー５２から離間可能であり、近接時に駆動ローラー５２とでシートを挟持する。
【００２０】
繰り出し機構５１に新たなロール紙Ｒ２を装填する場合、まずユーザーは、給紙ユニット５０の所定部位（例えば、図示しない把手等）持って給紙ユニット５０を引き出す。次に、引出位置Ｌ２（図３参照）となった給紙ユニット５０の繰り出し機構５１へロール紙Ｒ２を装填したら、給紙ローラー対（５２，５３）の間にロール紙Ｒ２の先端部を入れた状態とし、給紙ユニット５０を後方へ移動させて収容位置Ｌ１（図２参照）へ戻す。その後、制御部１１による制御下で、繰り出し機構５１がロール紙Ｒ２を繰り出し、繰り出されたシートを給紙ローラー対（５２，５３）が挟持しながら媒体経路７０から媒体経路３０の方へ搬送する。そして、媒体経路３０を通過して搬送ローラー対（１５，１６）の間に搬送されたシートを搬送ローラー対（１５，１６）が挟持する。
【００２１】
搬送ローラー対（１５，１６）は挟持したシートをプラテン１４上に搬送し、記録ヘッド１３がプラテン１４上のシートへインクを吐出してシートに記録を行う。記録部１２を通過して排出部１７から前方へ排出されるシートは、カッター１８で切断される。切断されたシートは搬送ローラー対（１５，１６）の挟持から解放されて落下し、スタッカー１９（図１参照）へスタック（受容、積み重ね）される。スタッカー１９をバスケット等と呼んでもよい。
【００２２】
記録装置１はガイド部材６０を備える。ガイド部材６０は、図１，２に示すように、収容位置Ｌ１に配置された給紙ユニット５０よりも前方に配置されている。ガイド部材６０は、脚部８０の設置面に近い位置から前方かつ上方に向かって延伸するアーム状の部材であり、図１に示すように、幅方向Ｄ７において間隔を空けて複数個設けられている。ガイド部材６０は、記録部１２による記録が行われて排出部１７から排出されたシートの姿勢を規制するための部材である。図１，２では、ガイド部材６０が所定の規制位置Ｐ１にある状態を示し、図３では、ガイド部材６０が所定の退避位置Ｐ２にある状態を示している。
【００２３】
ガイド部材６０は、下方部位において固定部６５に対して回転軸６３により軸支されている。固定部６５は、脚部８０に対して直接あるいは間接的に固定された部材であり、ガイド部材６０毎に対応して幅方向Ｄ７において間隔を空けて複数設けられている。固定部６５は、例えば、前記一対の脚部８０間に架け渡された梁８１に固定されている。ガイド部材６０は、回転軸６３を中心として回転することにより、規制位置Ｐ１と退避位置Ｐ２との間を移動可能である。また、ガイド部材６０は、付勢部材（コイルばね等）およびストッパー（いずれも不図示）によって、規制位置Ｐ１を保つように付勢されており、周囲から何らかの力を受けない限り、規制位置Ｐ１を保つ（前記文献１の段落００５０を適宜参照のこと）。
【００２４】
ガイド部材６０は、規制位置Ｐ１にある場合に、前記排出されたシートの姿勢を規制することができる。前記排出されたシートは、ロール状に巻かれていたため巻き癖が付いている。前記排出されたシートの先端部は、当該巻き癖に起因して、排出部１７から出た後、下降しながらも後側つまり筺体１０下方の給紙ユニット５０側へ向かうことがある。このような場合に、前記排出されたシートが給紙ユニット５０側へ進入することがガイド部材６０によって禁止される。また、前記排出された先端部の位置がガイド部材６０に当たって規制された状態のシートは、カッター１８で切断されて全体が落下する際に、後端部（カッター１８で切断された部分）が先端部よりも前側に落下し、スタッカー１９にスタックされる。このようにガイド部材６０は、排出部１７から排出されてスタッカー１９にスタックされるまでのシートの姿勢や位置をある程度規制する。
【００２５】
さらに、ガイド部材６０は、給紙ユニット５０側からスタッカー１９側へシートが混入することも防止する。具体的には、給紙ユニット５０が支持するロール紙Ｒ２の残りが１ページ分の印刷もできないほどに少なくなった場合、繰り出し機構５１は、逆回転することにより、媒体経路（３０，７０）に送り出されていたシートを巻き戻して給紙ユニット５０内へ回収する。このとき、規制位置Ｐ１にあるガイド部材６０によって、当該回収される途中のシートがスタッカー１９側へ進入する（スタッカー１９にスタックされた他の印刷物に混入する）ことが防止される。
【００２６】
ガイド部材６０は、給紙ユニット５０が引き出されることに伴って、規制位置Ｐ１から退避位置Ｐ２へ移動（退避）する。ここで、給紙ユニット５０は、下面５８の所定位置に、ガイド部材６０に当接する当接部５５を有する。当接部５５は、ガイド部材６０に一対一で対応しており、幅方向Ｄ７において間隔を空けて複数設けられている。当接部５５は、凸状の曲面を有する曲面部５６と、曲面部５６と連続する平面（平面部５７）とを有する。曲面部５６は、当接部５５の前端部であり、平面部５７は、その長手方向が、上方から見たときに給紙ユニット５０の移動方向（前後方向Ｄ１）と平行である。当接部５５は、例えば樹脂で形成されている。
【００２７】
当接部５５は、給紙ユニット５０が収容位置Ｌ１にある場合、ガイド部材６０の後側の面（裏面６１）へ曲面部５６により当接している（図２参照）。ユーザーが給紙ユニット５０を上述のように引き出す際、給紙ユニット５０の収容位置Ｌ１から引出位置Ｌ２への移動に伴って、当接部５５を介してガイド部材６０の裏面６１が前方へ押されることにより、ガイド部材６０が規制位置Ｐ１から退避位置Ｐ２へ移動する（倒れる）。当接部５５は、給紙ユニット５０が収容位置Ｌ１から引出位置Ｌ２へ移動する過程（ガイド部材６０が規制位置Ｐ１から退避位置Ｐ２へ移動する過程）で、ガイド部材６０の裏面６１と曲面部５６で接しながらガイド部材６０の先端部６２に向かって移動する。先端部６２は、ガイド部材６０のうち、ガイド部材６０が規制位置Ｐ１にある場合に、筺体１０に最も接近する（あるいは接触する）端部である。
【００２８】
図３に示すように、給紙ユニット５０が引出位置Ｌ２に達した場合（ガイド部材６０が退避位置Ｐ２にある場合）、当接部５５は、平面部５７によりガイド部材６０の先端部６２と当接する。つまり、平面部５７によりガイド部材６０の先端部６２が下方へ押さえられた状態となる。これにより、ガイド部材６０は、前記付勢部材による付勢力に抗して退避位置Ｐ２を維持する。ガイド部材６０は、給紙ユニット５０の引出位置Ｌ２から収容位置Ｌ１への移動に伴って、退避位置Ｐ２から規制位置Ｐ１へ移動する。上述したようにガイド部材６０は規制位置Ｐ１を保つように付勢されているため、当接部５５に押されなくなれば、自ずと規制位置Ｐ１へ復帰する。なお、複数のガイド部材６０は、全て互いに同じ動きをする。
【００２９】
図４は、給紙ユニット５０が引出位置Ｌ２にある状態における、当接部５５とガイド部材６０とが接している様子を、前側からの視点により例示している。ここでは、幅方向Ｄ７に沿って間隔を空けて設けられた３組の当接部５５およびガイド部材６０を例示している。図４から判るように、幅方向Ｄ７における当接部５５の幅は、幅方向Ｄ７におけるガイド部材６０の幅よりも小さい。そのため、特に、給紙ユニット５０が収容位置Ｌ１にある場合には、記録装置１の前側からはガイド部材６０に隠れて当接部５５が見えにくく、当接部５５によって美観が損なわれることが回避される。また、当接部５５の幅を上述のように小さくすることで、当接部５５の製造コストを抑えることができる。
【００３０】
さらに図４に示したように、ガイド部材６０は、当接部５５と相対する面に、幅方向Ｄ７における幅が、幅方向Ｄ７における当接部５５の幅よりも小さいリブ６４を有するとしてもよい。ガイド部材６０の当接部５５と相対する面とは、裏面６１や先端部６２であり、リブ６４は、裏面６１や先端部６２の中央部（幅方向Ｄ７における中央部）から突出している。図４では、ガイド部材６０の先端部６２に形成されたリブ６４を示している。リブ６４は、給紙ユニット５０の移動（収容位置Ｌ１〜引出位置Ｌ２間の移動）の過程で当接部５５が接する、裏面６１や先端部６２における範囲全般に亘って連続して形成されている。かかる構成によれば、ガイド部材６０は、リブ６４によって当接部５５の曲面部５６や平面部５７と当接する。このようなリブ６４を設けることにより、ガイド部材６０と当接部５５との接触面積が減るため、給紙ユニット５０を引き出す際の抵抗が減り、給紙ユニット５０を引き出す作業が容易になる。
【００３１】
このように本実施形態によれば、収容位置Ｌ１〜引出位置Ｌ２間を移動可能な給紙ユニット５０は、下面５８に、前側の曲面部５６と曲面部５６から後側へ連続する平面部５７とを有する当接部５５を備える。そして、当接部５５は、給紙ユニット５０が収容位置Ｌ１から引出位置Ｌ２へ移動する間、曲面部５６によってガイド部材６０に当接するため、給紙ユニット５０をスムーズに引き出すことができる。また、当接部５５の平面部５７がガイド部材６０の先端部６２と当接した状態が、給紙ユニット５０が引出位置Ｌ２に在る状態である。そのため、引出位置Ｌ２において給紙ユニット５０が安定するとともに、記録装置１の前方への給紙ユニット５０の引き出し量が十分確保される（ガイド部材６０の先端部６２の上方に給紙ユニット５０が載る位置まで、給紙ユニット５０が引き出される）。従って、ユーザーにとって、給紙ユニット５０へロール紙Ｒ２を装填する作業が容易になる。
【００３２】
また、上述したように、当接部５５の平面部５７は、長手方向が、上方から見たときに給紙ユニット５０の移動方向（前後方向Ｄ１）と平行である。そのため、給紙ユニット５０が引出位置Ｌ２まで移動した後、給紙ユニット５０の位置が多少前後に動いても、当接部５５は平面部５７のいずれかの箇所でガイド部材６０の先端部６２との接触を維持することができ、ロール紙Ｒ２の装填作業中における給紙ユニット５０の姿勢が安定する。
【００３３】
さらに、当接部５５は、図２，３に例示するように、長手方向の両端が対称形状であるとしてもよい。つまり、対称形状である当接部５５の長手方向の両端のうち、前端部が曲面部５６として機能する。当該構成によれば、当接部５５を給紙ユニット５０の下面５８へ取り付けるに際し、当接部５５の長手方向の両端のいずれを前方に向けてもよい。そのため、当該取り付け作業が容易であり、記録装置１の製造効率の向上に繋がる。
【００３４】
なお、記録装置１は、給紙ユニット２０と給紙ユニット５０のうち、給紙ユニット２０を有さない（ロール紙Ｒ１を使用しない）構成であってもよい。これまでは、ロール状の媒体の例としてロール紙を挙げて説明を行ったが、ロール状の媒体としては、ロール紙以外にも、布、プラスチックシート、皮革、等、種々の材質の巻回シートを使用することができる。また、記録部１２は、インクジェット方式以外の記録方式を採用してもよく、一例として、トナーをシートに転写して記録を行うレーザープリント方式等を採用可能である。
【符号の説明】
【００３５】
１…記録装置、１０…筐体、１２…記録部、２０…給紙ユニット、３０，４０…媒体経路、５０…給紙ユニット（媒体支持部）、５５…当接部、５６…曲面部、５７…平面部、６０…ガイド部材、６２…先端部、７０…媒体経路、Ｄ１…前後方向、Ｄ７…幅方向、Ｌ１…収容位置、Ｌ２…引出位置、Ｐ１…規制位置、Ｐ２…退避位置、Ｒ１，Ｒ２…ロール紙
【図１】
2015189103.tif 000003
【図２】
2015189103.tif 000004
【図３】
2015189103.tif 000005
【図４】
2015189103.tif 000006